(57)【要約】    【課題】  主光源とＬＥＤからなる補助光源とを、明るさセンサと人感センサを用いて多機能で多様な照明を行えるようにした照明器具を提供する。    【解決手段】  センサ内蔵照明器具は、主光源１と、ＬＥＤからなる補助光源２と、明るさセンサ３ａと、人感センサ３ｂと、明るさセンサおよび人感センサの検知動作に応じて主光源および補助光源の点灯状態を制御する点灯制御回路４と、明るさセンサに応じて主光源および補助光源の点灯を制御する第１の制御モード設定部５ａ、人感センサに応じて主光源の点灯を制御する第２の制御モード設定部５ｂおよび人感センサに応じて補助光源の点灯を制御する第３の制御モード設定部５ｃを備え、主光源および補助光源の点灯制御をセンサモードに設定するセンサモード設定部５とを具備している。【選択図】図１
2008235117.tif 000002
【特許請求の範囲】
【請求項１】
主光源と；
ＬＥＤからなる補助光源と；
明るさセンサと；
人感センサと；
明るさセンサおよび人感センサの検知動作に応じて主光源および補助光源の点灯状態を制御する点灯制御回路と；
明るさセンサに応じて主光源および補助光源の点灯を制御する第１の制御モード設定部、人感センサに応じて主光源の点灯を制御する第２の制御モード設定部および人感センサに応じて補助光源の点灯を制御する第３の制御モード設定部を備え、主光源および補助光源の点灯制御をセンサモードに設定するセンサモード設定部と；
を具備していることを特徴とするセンサ内蔵照明器具。
【請求項２】
点灯制御回路は、壁スイッチの繰り返し操作によって形成される停電時間を検知する停電時間検知制御部を備え、停電時間検知制御部が第１の時間の停電を検知したときにセンサモード設定部の設定の如何にかかわらず主照明光源を所定時間連続点灯にする第４の制御モードに切り換えるとともに、第４の制御モード中に第１の時間より長い第２の時間を検知したときにはセンサモードに戻すことを特徴とする請求項１記載のセンサ内蔵照明器具。
【請求項３】
点灯制御回路は、第４の制御モード中に停電時間検知制御部が第１の時間の停電を検知したときにはタイマ動作をリセットして再度第４の制御モードを開始することを特徴とする請求項２記載のセンサ内蔵照明器具。
【請求項４】
ダウンライト本体と；
ダウンライト本体に配設された主光源と；
ダウンライト本体の下面開口部の周縁部近傍に配設された補助光源と；
ダウンライト本体の下面開口部の周縁部近傍に配設された明るさセンサおよび人感センサと；
を具備していることを特徴とする請求項１ないし３のいずれか一記載のセンサ内蔵照明器具。
【発明の詳細な説明】
【技術分野】
【０００１】
本発明は、主光源に加えて補助光源、明るさセンサおよび人感センサを備えたセンサ内蔵照明器具に関する。
【背景技術】
【０００２】
照明負荷の点灯状態を制御する電源制御部と人体センサ部、照度センサ部を有する検知部と、点灯継続時間を設定する設定部を有する照明器具で、検知部の検知結果と設定部の設定条件に応じて、照明負荷を点灯制御する照明器具は既知である（特許文献１参照。）。
【０００３】
特許文献１に記載された照明器具は、通常モードとほんのりモードを切り換え可能にし、夜間人体検知時に通常点灯またはほんのり点灯するようにしている。
【０００４】
また、主光源に加えて補助高原を備え、主光源および補助高原を切り換え可能にした照明器具は家庭用照明器具で古くから使用されている。
【０００５】
【特許文献１】特開２００４−１７１８０５号公報
【発明の開示】
【発明が解決しようとする課題】
【０００６】
しかしながら、上記前者の先行技術は、単一の光源を用いるので、ほんのりモードするのに調光するので調光回路を必要とするばかりか、多機能で多様な照明を行うことができない。そのため、用途がトイレなどに限定されてしまうという問題がある。
【０００７】
また、主光源および補助光源を切り換え可能にした照明器具は、光源をいずれかに切り換えれば、主照明と保安照明とを選択的に行えるが、それ以上の多機能な照明を行うことができない。
【０００８】
本発明は、主光源とＬＥＤからなる補助光源とを、明るさセンサと人センサを用いて多機能で多様な照明を行えるようにした照明器具を提供することを目的とする。
【課題を解決するための手段】
【０００９】
本発明のセンサ内蔵照明器具は、主光源と；ＬＥＤからなる補助光源と；明るさセンサと；人感センサと；明るさセンサおよび人感センサの検知動作に応じて主光源および補助光源の点灯状態を制御する点灯制御回路と；明るさセンサに応じて主光源および補助光源の点灯を制御する第１の制御モード設定部、人感センサに応じて主光源の点灯を制御する第２の制御モード設定部および人感センサに応じて補助光源の点灯を制御する第３の制御モード設定部を備え、主光源および補助光源の点灯制御をセンサモードに設定するセンサモード設定部と；を具備していることを特徴としている。
【００１０】
本発明は、以下の態様を許容する。
【００１１】
主光源は、センサ内蔵照明器具の主たる光束を発生する光源であれば発光原理に関係なく採用することができ、例えば蛍光ランプ、白熱電球および高圧放電ランプなどであり、専用の点灯回路、例えば安定器などを必要とする場合には、それらを含む概念である。なお、蛍光ランプは、電球形蛍光ランプ、コンパクト形蛍光ランプおよび一般照明用蛍光ランプ、例えば環状形蛍光ランプ直管形蛍光ランプなどのいずれであってもよい。また、白熱電球は、ハロゲン電球などを含む。高圧放電ランプは、メタルハライドランプ、水銀ランプおよび高圧ナトリウムランプなどを含む。
【００１２】
補助光源は、発光部がＬＥＤからなる。ＬＥＤを点灯するためにレギュレータなどの駆動回路を用いる場合にはそれを含む。
【００１３】
また、補助光源は、連続点灯するだけでなく、スイッチングレギュレータなどの半導体デバイスを用いた駆動回路で点灯することにより、半導体デバイスを制御してそのＬＥＤをフラッシュ点灯するように構成することができる。例えば、人センサが人の接近を感知した際に、ＬＥＤをフラッシュ点灯させることで防犯効果を高めることができる。
【００１４】
さらに、補助光源は、なるべくコンパクトに構成されているのがよい。好ましくは小径の筒状ケースの内部に駆動回路と一緒に収納し、加えて所望により前面にレンズを装着して配光を整えるようにしたモジュールにすることができる。
【００１５】
明るさセンサは、周囲の明るさを感知して主光源および補助光源を制御する。すなわち、周囲が明るいときには、主光源も補助光源も点灯させない。
【００１６】
人感センサは、主光源および補助光源を個別に制御するように配設される。単一の人感センサを用いて主光源および補助光源を個別に制御するのもよいし、主光源および補助光源に対して１対１の関係にして２つの人感センサを配設することもできる。
【００１７】
また、人感センサは、人の接近を感知できればどのような構成であってもよいが、焦電センサのような小形化できて、安価な焦電センサを用いることができる。
【００１８】
明るさセンサおよび人感センサを共通で、かつ小径で遮光性の容器内に収納してモジュールにすることで照明器具の構造を簡単化することができるので、好ましい。
【００１９】
点灯制御回路は、明るさセンサおよび人感センサの検知動作に応じて主光源および補助光源の点灯状態を所定に制御する手段であり、マイコンなどの演算および記憶機能を有するデバイスを主体として含むことができる。予め所定のプログラムおよび記憶されたデータにしたがい演算を行い所要の制御を行うように構成することができる。
【００２０】
また、点灯制御回路は、所望により主光源または／および補助光源を連続点灯モードで点灯することができる。常時点灯モードに切り換えるには、例えば壁スイッチを利用して人為的に停電状態を作り出して、その停電時間を計時して制御を切り換えるように構成する。さらに詳述すれば、壁スイッチをオフにしてから第１の時間内にオンにしたときに、所定時間の間連続点灯モードに切り換える。なお、切り換えてから所定時間が経過すると、元に戻るように構成するのがよい。また、連続点灯モード中に壁スイッチを第２の時間の間オフにしてからオンにしたときには、連続点灯モードをリセットして再度連続点灯時間を開始するように構成することができる。
【００２１】
センサモード設定部は、明るさセンサおよび人センサの検知動作に応じて主照明光源および補助照明光源の点灯状態を制御する手段であり、第１ないし第３の制御モード設定部を備えている。
【００２２】
第１のモード設定部を設定すると、点灯制御回路が明るさセンサに応じて主光源および補助光源の点灯を制御する制御モードが設定される。
【００２３】
第２の制御モード設定部を設定すると、点灯制御回路が人感センサに応じて主光源の点灯を制御する制御モードが設定される。
【００２４】
第３の制御モード設定部を設定すると、点灯制御回路が人感センサに応じて補助光源の点灯を制御する制御モードが設定される。
【００２５】
また、制御モード設定部は、スイッチの形態であることを許容し、この形態においては、スイッチが選択的に投入されると、主光源および補助光源の点灯制御を選択的にセンサモードに設定する。なお、第１ないし第３の制御モード設定部のいずれも設定しないときには、センサ内蔵照明器具はセンサモードで動作しないでセンサを備えていない照明器具と同様に動作するようになる。
【００２６】
本発明のセンサ内蔵照明器具は、多様な照明器具の形態に適応する。例えば、ダウンライト、スポットライト、壁面取付形照明器具および天井取付形照明器具などであることを許容する。
【発明の効果】
【００２７】
本発明によれば、主光源とＬＥＤからなる補助光源とを、明るさセンサと人感センサを用いて防犯モード、常夜灯モードおよび人感モードなどを含み、多様で、かつ多機能な照明を行えるようにしたセンサ内蔵照明器具を提供することができる。
【００２８】
また、制御モード設定部を操作容易な位置に配置することで、使用者が所望に応じて容易に点灯モードをセンサモードおよび非センサモードを選択的に設定することができる。
【００２９】
さらに、補助光源がＬＥＤからなるので、小形のモジュールにするのが容易であるとともに、省エネルギーになる。併せて明るさセンサおよび人センサを小形のモジュールにすれば、主光源の配光を殆ど犠牲にすることなくなる。
【発明を実施するための最良の形態】
【００３０】
以下、図面を参照して本発明を実施するための形態を説明する。
【００３１】
図１ないし図３は、本発明のセンサ内蔵照明器具を実施するための一形態を示し、図１はブロック回路図、図２はセンサ内蔵照明器具の断面概略図、図３は同じく下面概略図である。
【００３２】
本形態において、センサ内蔵照明器具は、主光源１、補助光源２、センサモジュール３、点灯制御回路４、センサモード設定部５および照明器具本体６を具備している。なお、符号７は交流電源である。
【００３３】
主光源１は、例えば電球形蛍光ランプからなり、蛍光ランプ部１ａおよび点灯回路部１ｂからなる。なお、点灯回路部１ｂは、高周波インバータ回路を主体として構成され、蛍光ランプ部１ａと一体化されていて、後述する第１の切換回路部４ａを介して交流電源７に接続する。
【００３４】
補助光源２は、ＬＥＤ部２ａおよび点灯回路部２ｂからなり、モジュール化されている。なお、点灯回路部２ｂは、例えばスイッチングレギュレータ回路などを主体として構成されている。また、モジュール化は、図２および図３に示すように、筒状のケース部２ｃ内にＬＥＤ部２ａおよび点灯回路部２ｂを収納し、出光面にレンズ部２ｄが装着されて一体化されている。補助光源２は、後述する第２の切換回路部４ｂを介して交流電源７に接続する。
【００３５】
センサモジュール３は、明るさセンサ３ａおよび人感センサ３ｂを備え、図２および図３に示すように、筒状の遮光ケース部３ｃ内に収納されて一体化されている。
【００３６】
点灯制御回路４は、マイコンを主体として構成され、かつ第１および第２の切換回路部４ａ、４ｂを備え、明るさセンサ３ａおよび人感センサ３ｂと、後述するセンサモード設定部５と協働して、主光源１および補助光源モジュール２を後述するように多様に制御する。第１の切換回路部４ａは、点灯制御回路４からの制御により主光源１をオン、オフする。第２の切換回路部４ａ、４ｂは、点灯制御回路４からの制御により補助光源モジュール２の補助光源をオン、オフする。
【００３７】
また、点灯制御回路４は、所望によりその内部に停電時間検知制御部４ｃを配設し、かつ壁スイッチ（図示しない。）と協働することによって第４の制御モードである常時点灯モード機能を備えることができる。すなわち、第４の制御モードは、壁スイッチの操作によって形成される人為的停電時間（すなわち壁スイッチをオフにし、所定時間後にオンにする間）を検知して主光源１を連続点灯常態に切り換える。この第４の制御モードの連続点灯は、夜間のトイレや巡回時に効果的である。
【００３８】
第４の制御モードをさらに詳述すれば、停電時間検知制御部４ｃが第１の時間（例えば、約３秒間）の停電を検知したときにセンサモード設定部５の設定の如何にかかわらず主光源１を所定時間（例えば、８時間）の間連続点灯にする。このモードを第４の制御モードと称する。そして、第４の制御モード中に第１の時間より長い第２の時間（例えば、約５秒間）の停電を検知したときにはセンサモードに戻す。
【００３９】
また、第４の制御モード中に壁スイッチを所定時間（例えば、約３秒間）オフにしてからオンにすると、第４の制御モードはリセットされて再び最初から連続点灯の第４の制御モードを開始する。
【００４０】
センサモード設定部５は、第１ないし第３の制御モード設定部５ａ、５ｂ、５ｃを備え、いずれも小形のスイッチにより構成されている。
【００４１】
第１の制御モード設定部５ａを操作してオンすなわち設定にしているときには、明るさセンサ３ａに応じて主光源１および補助光源を周囲の明るさに応じて制御する。すなわち、周囲が明るいときには、第１および第２の切換回路部４ａ、４ｂをオフして、主光源１および補助光源が点灯しないようにする。周囲が暗くなると、主光源１および補助光源を人センサ３ｂによる制御を可能にする。
【００４２】
第２の制御モード設定部５ｂを操作してオンすなわち設定にしているときには、人感センサ３ｂに応じて主光源１を周囲の明るさに応じて制御する。すなわち、周囲に人が接近すると、第１の切換回路部４ａをオンにして主光源１を点灯させる。
【００４３】
第３の制御モード設定部５ｃを操作してオンすなわち設定にしているときには、人感センサ３ｂに応じて補助光源２を周囲の明るさに応じて制御する。すなわち、第２の制御モード設定部５ｂが設定されないで、かつ第３の制御モード設定部５ｃが設定されている場合には、周囲に人が接近すると、第１の切換回路部４ａを所定周期で間欠的にオンにして補助光源２をフラッシュ点灯させる。
【００４４】
照明器具本体６は、図２および図３に示すように、埋込形ダウンライトの形態をなしている。そして、枠体６ａ、反射板６ｂおよびソケット６ｃを備えて構成されている。
【００４５】
枠体６ａは、天井（図示しない。）に形成した穴の内部にその大部分が埋め込まれた状態で取付けられる。そして、補助光源２、センサモジュール３および点灯制御回路４を所定の位置に支持している。
【００４６】
反射板６ｂは、枠体６ａに固定されて天井に形成した穴を覆い、センサモード設定部５がその開口部近傍に位置するようにセンサモード設定部５を配置している。
【００４７】
ソケット６ｃは、枠体６ａに取付けられていて、主光源１を装着する。
【００４８】
次に、図４および図１を参照して本形態のセンサ内蔵照明器具の機能を説明する。
【００４９】
図４は、本発明のセンサ内蔵照明器具を実施するための一形態における機能の説明図である。
【００５０】
本形態のセンサ内蔵照明器具は、センサモード設定部５の設定の組み合わせによって防犯モード（１）、防犯モード（２）、常夜灯モード、人感モード（１）および人感モード（２）の機能モードを付与することが可能である。なお、図４において、各モードの上側の図形は軒下、屋側を示し、下側は病院、福祉施設またはマンションなどの廊下を示す。
【００５１】
〔防犯モード（１）〕
防犯モード（１）は、センサモード設定部５の第１ないし第３の制御モード設定部５ａ、５ｂ、５ｃを全てオンにしたときに設定される。
【００５２】
周囲が暗くなると、照度センサすなわち明るさセンサ３ａがこれを検知して、ＬＥＤすなわち補助光源２が自動的にオンすなわち点灯する。
【００５３】
そうして、人感センサ３ｂの検知エリア内に人が近づくと、主照明すなわち主光源１がおよびオンすなわち点灯して人の接近を知らせ、周囲に注意を喚起する。なお、補助光源２は人の検知の有無にかかわらず連続して点灯し、常夜灯として機能する。人がいなくなると、主照明すなわち主光源１が消灯（オフ）する。
【００５４】
周囲が明るくなると、人が近づいても主光源１および補助光源２は消灯する。
【００５５】
〔防犯モード（２）〕
防犯モード（２）は、センサモード設定部５の第１の制御モード設定部５ａおよび第３の制御モード設定部５ｃをオンにし、かつ第２の制御モード設定部５ｂをオフにしたときに設定される。
【００５６】
周囲が暗くなると、照度センサすなわち明るさセンサ３ａがこれを検知して、ＬＥＤすなわち補助光源２が自動的に点灯するが、主光源１は消灯している。
【００５７】
そうして、人感センサ３ｂの検知エリア内に人が近づくと、補助光源２がフラッシュ点灯して人の接近を知らせ、周囲に注意を喚起する。人がいなくなると、補助光源２がフラッシュ点灯から連続点灯に戻り、常夜灯として機能する。
【００５８】
周囲が明るくなると、人が近づいても補助光源２は消灯する。
【００５９】
〔常夜灯モード〕
常夜灯モードは、センサモード設定部５の第１の制御モード設定部５ａをオンにし、かつ第２および第３の制御モード設定部５ｂ、５ｃをオフにしたときに設定される。
【００６０】
周囲が暗くなると、照度センサすなわち明るさセンサ３ａがこれを検知して、ＬＥＤすなわち補助光源２が自動的に点灯するが、主光源１は消灯している。
【００６１】
そうして、人感センサ３ｂの検知エリア内に人の接近の有無にかかわらず、補助光源２のみが連続点灯して常夜灯として機能する。
【００６２】
周囲が明るくなると、補助光源２は消灯する。
【００６３】
〔人感モード（１）〕
人感モード（１）は、センサモード設定部５の第２の制御モード設定部５ｂをオンにし、かつ第１および第３の制御モード設定部５ａ、５ｃをオフにしたときに設定される。
【００６４】
周囲が暗くなると、照度センサすなわち明るさセンサ３ａ検知しないので、主光源１およびＬＥＤすなわち補助光源２はともに消灯している。
【００６５】
そうして、人感センサ３ｂの検知エリア内に人が接近すると、主光源１および補助光源２が点灯する。人がいなくなると、再び主光源１および補助光源２がともに消灯する。
【００６６】
人感モード（１）は、センサ内蔵照明器具を複数台設置時、前記常夜灯モードと併用すれば、夜間の省エネルギーを図りながら、トイレなどへの地明かりを確保することができる。
【００６７】
〔人感モード（２）〕
人感モード（２）は、センサモード設定部５の第３の制御モード設定部５ｃをオンにし、かつ第１および第２の制御モード設定部５ａ、５ｂをオフにしたときに設定される。
【００６８】
周囲が暗くなると、照度センサすなわち明るさセンサ３ａ検知しないので、主光源１およびＬＥＤすなわち補助光源２はともに消灯している。
【００６９】
そうして、人感センサ３ｂの検知エリア内に人が接近すると、補助光源２のみが点灯する。人がいなくなると、再び補助光源２が消灯する。
【００７０】
人感モード（２）は、夜間のトイレや看護、介護などの巡回時に効果的である。
【００７１】
次に、常時昭モードについて説明する。
【００７２】
センサモード設定部５を全てオフにすれば、センサ機能のない通常の照明器具と同様になる。この場合、照明器具のオン、オフは壁スイッチなどにより行う。
【図面の簡単な説明】
【００７３】
【図１】本発明のセンサ内蔵照明器具を実施するための一形態を示すブロック回路図
【図２】同じくセンサ内蔵照明器具の断面概略図
【図３】同じく下面概略図
【図４】同じくセンサ内蔵照明器具の機能の説明図
【符号の説明】
【００７４】
１…主光源、２…補助光源、２ａ…ＬＥＤ部、２ｂ…駆動回路部、３…センサモジュール、３ａ…明るさセンサ、３ｂ…人感センサ、４…点灯制御回路、４ａ…第１の切換回路部、４ｂ…第２の切換回路部、５…センサモード設定部、５ａ…第１のセンサモード設定部、５ｂ…第２のセンサモード設定部、５ｃ…第３のセンサモード設定部、６…照明器具本体、７…交流電源
【図１】
2008235117.tif 000003
【図２】
2008235117.tif 000004
【図３】
2008235117.tif 000005
【図４】
2008235117.tif 000006